(57)【特許請求の範囲】
【請求項１】
同軸ケーブルの端末に設けられ外側に円筒状外導体端子を有する導電性のシールドターミナルと、
前記円筒状外導体端子に接触する端子接続用プレート部、及びコネクタ外部に露出する外部接続用プレート部を有する導電性のアースプレートと、
前記シールドターミナルを差し込んで収容する円形貫通孔状のターミナル差込収容部、及び該ターミナル差込収容部を横切るように前記端子接続用プレート部を差し込んで収容するプレート差込収容部を有する絶縁性のコネクタハウジングと、を備え、
前記端子接続用プレート部には、前記円筒状外導体端子を導入する端子導入部分と、該端子導入部分に連続するとともに前記円筒状外導体端子を挟み込むように圧接する端子圧接部分と、該端子圧接部分に連続するスリット幅拡大作用部分と、を有する外導体端子圧入用スリットを形成するとともに、
前記コネクタハウジングの外面には、前記端子接続用プレート部を前記プレート差込収容部に完全に差し込んだ状態で前記外部接続用プレート部が前記外面に対し面一となるような、前記外部接続用プレート部を収容するための外面側プレート収容部を形成する
ことを特徴とするコネクタ。
【請求項２】
請求項１に記載のコネクタにおいて、
前記端子接続用プレート部には、該端子接続用プレート部の幅方向に突出する係止凸部を形成し、前記コネクタハウジングには、前記プレート差込収容部に達する金型抜き溝によって前記係止凸部を係止するためのプレート係止凹部を形成する
ことを特徴とするコネクタ。
【請求項３】
請求項２に記載のコネクタにおいて、
前記係止凸部の係止状態で該係止凸部との間に治具挿入用スペースが生じる形状に前記プレート係止凹部を形成する
ことを特徴とするコネクタ。
【発明の詳細な説明】
【技術分野】
【０００１】
本発明は、シールドターミナルとアースプレートとコネクタハウジングとを備えるコネクタに関する。
【背景技術】
【０００２】
下記特許文献１には、同軸ケーブルの端末に設けられシャーシに固定されるコネクタに関する技術が開示されている。コネクタは、シールドターミナルを備えており、このシールドターミナルは同軸ケーブルの編組に接続される外導体端子を有している。外導体端子は、シャーシに接地するためのアースプレートを一体化させてなる外導体端子本体と、この外導体端子本体に後付けされる補助ケースとを有している。
【０００３】
外導体端子本体は、アースプレートを一体化させていることから、複雑な形状に形成されている。また、複雑な形状に形成されていることから、補助ケースが必要な構造になっている。尚、アースプレートを一体化させていることにより、シールドターミナルの変位によってアースプレートとの間で瞬断が生じてしまうようなことはない。
【特許文献１】特開２００３−６８４０６号公報
【発明の開示】
【発明が解決しようとする課題】
【０００４】
上記従来技術にあっては、高い接続信頼性を確保することと引き替えに外導体端子が複雑な形状になってしまうという問題点を有している。外導体端子が複雑な形状になることにより、シールドターミナルやコネクタの製造性が悪くなってしまうのは勿論のこと、取り付け作業性にも影響を来してしまうという問題点を有している。
【０００５】
本発明は、上記した事情に鑑みてなされたもので、製造性及び作業性が良好であり接続信頼性も高いコネクタを提供することを課題とする。
【課題を解決するための手段】
【０００６】
上記課題を解決するためになされた請求項１記載の本発明のコネクタは、同軸ケーブルの端末に設けられ外側に円筒状外導体端子を有する導電性のシールドターミナルと、
前記円筒状外導体端子に接触する端子接続用プレート部、及びコネクタ外部に露出する外部接続用プレート部を有する導電性のアースプレートと、
前記シールドターミナルを差し込んで収容する円形貫通孔状のターミナル差込収容部、及び該ターミナル差込収容部を横切るように前記端子接続用プレート部を差し込んで収容するプレート差込収容部を有する絶縁性のコネクタハウジングと、を備え、
前記端子接続用プレート部には、前記円筒状外導体端子を導入する端子導入部分と、該端子導入部分に連続するとともに前記円筒状外導体端子を挟み込むように圧接する端子圧接部分と、該端子圧接部分に連続するスリット幅拡大作用部分と、を有する外導体端子圧入用スリットを形成するとともに、
前記コネクタハウジングの外面には、前記端子接続用プレート部を前記プレート差込収容部に完全に差し込んだ状態で前記外部接続用プレート部が前記外面に対し面一となるような、前記外部接続用プレート部を収容するための外面側プレート収容部を形成することを特徴としている。
【０００７】
このような特徴を有する本発明によれば、先ずコネクタハウジングのターミナル差込収容部にシールドターミナルを差し込むと、シールドターミナルはこの円筒状外導体端子がターミナル差込収容部の内面に接して差し込み状態が保持される。
次に、コネクタハウジングのプレート差込収容部にアースプレートの端子接続用プレート部を差し込み、アースプレートの外部接続用プレート部がコネクタハウジングの外面に面一となった時に、コネクタハウジングの内部ではアースプレートの端子接続用プレート部とシールドターミナルの円筒状外導体端子とが圧接により接続される。端子接続用プレート部を収容すると、この時、端子接続用プレート部の外導体端子圧入用スリットに円筒状外導体端子が入り込み、圧接によって端子接続用プレート部と円筒状外導体端子とが接続される。これに対し、外部接続用プレート部がコネクタハウジングの外面に面一となっていない場合には、上記の圧接が完了していないことになる。
このように円筒状外導体端子は、外導体端子圧入用スリットの端子圧接部分により挟み込まれるような状態で圧接される。端子接続用プレート部は、外導体端子圧入用スリットの構成によりバネ性を有するようになることから、端子接続用プレート部は弾性的に円筒状外導体端子に対して接続される。シールドターミナルは、端子接続用プレート部に圧接されることによりコネクタハウジング内で変位し難い状態で保持される。円筒状外導体端子との接続が完了したアースプレートは、コネクタ外部に露出する外部接続用プレート部を介して例えばブラケット等に接地される。
【００１０】
請求項２記載の本発明のコネクタは、請求項１に記載のコネクタにおいて、
前記端子接続用プレート部には、該端子接続用プレート部の幅方向に突出する係止凸部を形成し、前記コネクタハウジングには、前記プレート差込収容部に達する金型抜き溝によって前記係止凸部を係止するためのプレート係止凹部を形成することを特徴としている。
【００１１】
このような特徴を有する本発明によれば、コネクタハウジングのプレート差込収容部にアースプレートの端子接続用プレート部を差し込むようにして端子接続用プレート部を収容すると、この時、端子接続用プレート部の係止凸部がプレート差込収容部のプレート係止凹部に係止されてアースプレートの位置が固定される。これによりシールドターミナルは、コネクタハウジング内で一層変位し難い状態で保持される。
【００１２】
請求項３記載の本発明のコネクタは、請求項２に記載のコネクタにおいて、
前記係止凸部の係止状態で該係止凸部との間に治具挿入用スペースが生じる形状に前記プレート係止凹部を形成することを特徴としている。
【００１３】
このような特徴を有する本発明によれば、治具挿入用スペースに係止解除治具を差し込んで係止凸部とプレート係止凹部との係止状態を解除すれば、コネクタの分解が可能になる。プレート差込収容部に達する金型抜き溝を利用することにより、係止解除治具に対する専用の構造を設計する必要性はない。
【発明の効果】
【００１４】
請求項１に記載された本発明によれば、シールドターミナルとアースプレートとが別体であることから、シールドターミナルの製造性を従来例よりも向上させることができるという効果を奏する。また、本発明によれば、コネクタハウジングにシールドターミナルとアースプレートとを差し込んで組み付ける構造であることから、作業し易い構造のコネクタにすることができるという効果を奏する。さらに、本発明によれば、端子接続用プレート部と円筒状外導体端子とが圧接されるとともに、端子接続用プレート部が弾性的に円筒状外導体端子に対して接続されるようにもなることから、接続信頼性の高いコネクタにすることができるという効果を奏する。さらにまた、本発明によれば、シールドターミナルをアースターミナルで保持する金属同士の保持構造となることから、高い端子保持力を有するコネクタにすることができる。
加えて、本発明によれば、ネクタハウジング内での接続状態を外部接続用プレート部の位置によって把握することができるという効果を奏する。
【００１６】
請求項２に記載された本発明によれば、シールドターミナルをコネクタハウジング内で一層変位し難い状態で保持することができるという効果を奏する。
【００１７】
請求項３に記載された本発明によれば、治具挿入用スペースを介して係止凸部とプレート係止凹部との係止状態を解除すればコネクタの分解を容易に行うことができ、結果、リサイクル性の高いコネクタにすることができるという効果を奏する。また、金型抜き溝を利用することにより、係止解除治具に対する専用の構造を設計する必要性がないという効果を奏する。
【発明を実施するための最良の形態】
【００１８】
以下、図面を参照しながら説明する。図１は本発明のコネクタの一実施の形態を示す図であり、（ａ）はコネクタの構成を示す断面図、（ｂ）はアースプレートの斜視図である。また、図２はコネクタハウジングを示す図であり、（ａ）は斜視図、（ｂ）はターミナル差込収容部の位置での断面図である。さらに、図３〜図５はコネクタの組み付けに係る図、図６は治具挿入用スペースに係る説明図である。
【００１９】
図１において、コネクタ１は、二つのシールドターミナル２と、アースプレート３と、コネクタハウジング４とを備えて構成されている（シールドターミナル２の数は一例であるものとする）。コネクタ１は、外部に不要な電磁波を輻射したり、外部の電磁波が信号にノイズとして重畳してしまうことを防止することができるようになっている。また、コネクタ１は、以下の説明により分かるようになるが、従来と比べて製造性及び作業性が良好であり接続信頼性も高いものとなっている。
【００２０】
シールドターミナル２は、同軸ケーブルの端末に設けられており、外側に導電性の円筒状外導体端子５を有している（内導体端子などの図示は省略する）。円筒状外導体端子５は、略円筒形状の外導体端子であって、この一部が同軸ケーブルの編組に接続されている。円筒状外導体端子５は、薄肉の金属板を略円筒形状に加工することにより形成されている。
【００２１】
アースプレート３は、導電性を有する比較的厚肉の金属板を加工することにより形成されている。本形態においては、端子接続用プレート部６及び外部接続用プレート部７を有するＬ字状の形状に形成されている。端子接続用プレート部６は、シールドターミナル２の円筒状外導体端子５に接触する部分として形成されている。また、外部接続用プレート部７は、コネクタ外部（コネクタハウジング４の外面）に露出する部分として形成されている。
【００２２】
端子接続用プレート部６には、シールドターミナル２の数及び配置に合わせて二つの外導体端子圧入用スリット８が形成されている。また、端子接続用プレート部６には、この端子接続用プレート部６の幅方向に突出する一対の係止凸部９が形成されている。外導体端子圧入用スリット８は、端子接続用プレート部６の端部１０から外部接続用プレート部７との連続部分に向けて切り欠くように形成されている（図中の差し込み・取り外し方向に切り欠くような略スリット形状に形成されている）。
【００２３】
外導体端子圧入用スリット８には、シールドターミナル２の円筒状外導体端子５を導入する部分としての端子導入部分１１と、この端子導入部分１１に連続するとともに円筒状外導体端子５を挟み込むように圧接する端子圧接部分１２と、端子圧接部分１２に連続するスリット幅拡大作用部分１３とが形成されている。
【００２４】
端子導入部分１１は、端子接続用プレート部６の端部１０の開口部分の幅が広く、次第に幅狭となるように形成されている。端子圧接部分１２は、円筒状外導体端子５の直径よりも若干径の小さな略円形状に形成されている。端子圧接部分１２は、端子導入部分１１との連続部分に、相対向する一対のエッジ部分１４を有している。
【００２５】
スリット幅拡大作用部分１３は、本形態において端子圧接部分１２よりも直径の大きな略円形状に形成されている（形状は一例であるものとする）。略円形状のスリット幅拡大作用部分１３は、連結部分１５を介して略円形状の端子圧接部分１２に連成されている。スリット幅拡大作用部分１３は、端子接続用プレート部６の幅方向に、弾力性をより大きく付与する部分として形成されている。
【００２６】
係止凸部９は、端子接続用プレート部６の側部１６から突出するように形成されている。また、係止凸部９は、端子接続用プレート部６の端部１０に近い位置に形成されている。係止凸部９は、本形態において、端部１０に平行となる係止部分（係止面）と、この係止部分に直交し側部１６に平行となる部分と、この部分及び端部１０を斜めに繋ぐ斜状部分とを有して図示のような形状に形成されている。
【００２７】
外部接続用プレート部７は、表裏が平坦で平面視矩形となる形状に形成されている。外部接続用プレート部７の表面は、接地用の面であって、例えばブラケットに接触することによって、このブラケットに電気的に接続されるようになっている。尚、ブラケットに接触する以外には、シャーシにボルト止めすることができるような構造が一例として挙げられるものとする。
【００２８】
図１及び図２において、コネクタハウジング４は、絶縁性を有する合成樹脂製の成形部品であって、この前面には相手側コネクタとの嵌合がなされる嵌合凹部１７が形成されている。嵌合凹部１７の奥壁１８には、シールドターミナル２を差し込んで収容するための円形貫通孔状のターミナル差込収容部１９が所定の間隔で二つ形成されている。ターミナル差込収容部１９は、シールドターミナル２の円筒状外導体端子５の直径に合わせて形成されている。また、ターミナル差込収容部１９は、奥壁１８からコネクタハウジング４の後面にかけて貫通するように形成されている。
【００２９】
コネクタハウジング４の上面（外面）２０には、アースプレート３の外部接続用プレート部７を収容するための外面側プレート収容部２１が形成されている。外面側プレート収容部２１は、コネクタハウジング４の上面２０を凹ませるようにして形成されている。外面側プレート収容部２１は、外部接続用プレート部７の収容時、この外部接続用プレート部７の表面が上面２０に対して面一となるような深さに形成されている。
【００３０】
コネクタハウジング４の内部には、プレート差込収容部２２が形成されている。プレート差込収容部２２は、ターミナル差込収容部１９を横切るようにアースプレート３の端子接続用プレート部６を差し込んで収容することが可能な形状に形成されている。プレート差込収容部２２は、この一端が外面側プレート収容部２１に開口するように形成されている。プレート差込収容部２２は、外面側プレート収容部２１に直交するように、また、ターミナル差込収容部１９に直交するように形成されている。
【００３１】
このようなプレート差込収容部２２には、アースプレート３の係止凸部９を係止するための一対のプレート係止凹部２３が形成されている。プレート係止凹部２３は、プレート差込収容部２２の側部２４をコネクタハウジング４の幅方向に凹ますように形成されている（長方形状の凹みとなるように形成されている）。プレート係止凹部２３には、係止凸部９の係止部分（係止面）に対向する位置にハウジング側の係止部分が形成されている。プレート係止凹部２３は、嵌合凹部１７の奥壁１８からプレート差込収容部２３に達する金型抜き溝２５によって形成されている。
【００３２】
上記構成及び構造に基づきながらコネクタ１の組み立てについて説明する。
【００３３】
先ず、コネクタハウジング４のターミナル差込収容部１９にシールドターミナル２を差し込むと、シールドターミナル２はこの円筒状外導体端子５がターミナル差込収容部１９の内面に接して差し込み状態が保持される（図示省略。図１（ａ）が参考となる）。
【００３４】
次に、図３に示す如く、コネクタハウジング４の上方にアースプレート３をセットし、この後にアースプレート３を下ろしてコネクタハウジング４のプレート差込収容部２２にアースプレート４の端子接続用プレート部６を差し込み（図４参照）、そしてさらに差し込みを続けて端子接続用プレート部６をプレート差込収容部２２に完全に収容すると、この時又はこの過程において、図１（ａ）に示す如く、端子接続用プレート部６の外導体端子圧入用スリット８に円筒状外導体端子５が入り込み、圧接によって端子接続用プレート部６と円筒状外導体端子５とが接続される。また、端子接続用プレート部６の係止凸部９がプレート差込収容部２２のプレート係止凹部２３に係止されてアースプレート３の位置が固定される。
【００３５】
アースプレート３の位置が固定されると、このアースプレート３によってシールドターミナル２は保持される。シールドターミナル２は、端子接続用プレート部６と円筒状外導体端子５とによる金属同士の保持構造によって高い端子保持力で保持される。
【００３６】
円筒状外導体端子５は、外導体端子圧入用スリット８の端子圧接部分１２により挟み込まれるような状態で圧接される。端子接続用プレート部６は、外導体端子圧入用スリット８の構成によりバネ性を有するようになることから、端子接続用プレート部６は弾性的に円筒状外導体端子５に対して接続される。シールドターミナル２は、端子接続用プレート部６に圧接されることにより、また、上記の金属同士の保持構造により、コネクタハウジング４内で変位し難い状態で保持される。
【００３７】
円筒状外導体端子５との接続が完了したアースプレート３は、図５に示す如く、外部接続用プレート部７がコネクタ外部に露出することから、この外部接続用プレート部７を介して例えばブラケット等に接地することが可能になる。
【００３８】
本発明では、アースプレート３の外部接続用プレート部７がコネクタハウジング４の上面２０に対して面一となった時に、コネクタハウジング４の内部ではアースプレート３の端子接続用プレート部６とシールドターミナル２の円筒状外導体端子５とが圧接により接続される。従って、コネクタハウジング４内での接続状態を外部接続用プレート部７の位置によって把握することができる（外部接続用プレート部７がコネクタハウジング４の上面２０に面一となっていない場合には、上記の圧接が完了していないことになることから、端子接続用プレート部６の差し込みを続ける）。
【００３９】
尚、仮にコネクタ１の解体を行う場合には、コネクタハウジング４の金型抜き溝２５に係止解除用の治具（図示省略。棒状のもの）を差し込み、この係止解除用の治具を図６に示す如く、端子接続用プレート部６の係止凸部９とプレート差込収容部２２のプレート係止凹部２３との間に生じる治具挿入用スペース２６（図中の塗りつぶし部分）にて操作すればよい。係止状態を解除することにより、先ずアースプレート３を取り外し、次にシールドターミナル２を取り外すことで、コネクタ１は各部品に解体される。
【００４０】
以上、図１ないし図６を参照しながら説明してきたように、本発明によれば、シールドターミナル２とアースプレート３とが別体であることから、シールドターミナル２の製造性を従来例よりも向上させることができるという効果を奏する。また、本発明によれば、シールドターミナル２とアースプレート３とをコネクタハウジング４に差し込んで組み付ける構造であることから、作業し易い構造のコネクタ１にすることができるという効果を奏する。さらに、本発明によれば、端子接続用プレート部６と円筒状外導体端子５とが圧接されるとともに、端子接続用プレート部５が弾性的に円筒状外導体端子５に対して接続されるようにもなることから、接続信頼性の高いコネクタ１にすることができるという効果を奏する。さらにまた、本発明によれば、シールドターミナル２をアースターミナル３で保持する金属同士の保持構造となることから、高い端子保持力を有するコネクタ１にすることができるという効果を奏する。
【００４１】
続いて、図７を参照しながらアースプレートの他の例について説明する。図７は他の例を示す斜視図である（上記説明と同じ部分には同一の符号を付すものとする）。
【００４２】
図７において、アースプレート３′は、端子接続用プレート部６及び外部接続用プレート部７を有するＬ字状の形状に形成されている。端子接続用プレート部６には、一つの外導体端子圧入用スリット８が形成されている。また、端子接続用プレート部６には、この端子接続用プレート部６の幅方向に突出する一対の係止凸部９が形成されている。外導体端子圧入用スリット８には、端子導入部分１１と、端子圧接部分１２と、スリット幅拡大作用部分１３と、エッジ部分１４と、連結部分１５とが形成されている。本発明では、このようなアースプレート３′を用いても良いものとする。
【００４３】
この他、特に図示しないが、シールドターミナル２の円筒状外導体端子５に、アースプレート３の外導体端子圧入用スリット８の縁部を差し込むことが可能な凹部を形成しても良いものとする。円筒状外導体端子５の上記凹部にアースプレート３の外導体端子圧入用スリット８の縁部を差し込むことにより、シールドターミナル２はコネクタハウジング４内で一層変位し難い状態で保持されるようになる。
【００４４】
本発明は本発明の主旨を変えない範囲で種々変更実施可能なことは勿論である。
【図面の簡単な説明】
【００４５】
【図１】本発明のコネクタの一実施の形態を示す図であり、（ａ）はコネクタの構成を示す断面図、（ｂ）はアースプレートの斜視図（円内は要部拡大図）である。
【図２】コネクタハウジングを示す図であり、（ａ）は斜視図、（ｂ）はターミナル差込収容部の位置での断面図である。
【図３】コネクタの組み付けに係る図であり、アースプレートをコネクタハウジングに差し込む直前の状態を示す斜視図である。
【図４】コネクタの組み付けに係る図であり、アースプレートをコネクタハウジングに差し込んでいる途中の状態を示す斜視図である。
【図５】コネクタの組み付けに係る図であり、アースプレートをコネクタハウジングに差し込んだ後の状態を示す斜視図である。
【図６】治具挿入用スペースに係る説明図である。
【図７】アースプレートの他の例を示す斜視図である。
【符号の説明】
【００４６】
１  コネクタ
２  シールドターミナル
３  アースプレート
４  コネクタハウジング
５  円筒状外導体端子
６  端子接続用プレート部
７  外部接続用プレート部
８  外導体端子圧入用スリット
９  係止凸部
１０  端部
１１  端子導入部分
１２  端子圧接部分
１３  スリット幅拡大作用部分
１４  エッジ部分
１５  連結部分
１６  側部
１７  嵌合凹部
１８  奥壁
１９  ターミナル差込収容部
２０  上面（外面）
２１  外面側プレート収容部
２２  プレート差込収容部
２３  プレート係止凹部
２４  側部
２５  金型抜き溝
２６  治具挿入用スペース
【図１】
0005070021.tif 000002
【図２】
0005070021.tif 000003
【図３】
0005070021.tif 000004
【図４】
0005070021.tif 000005
【図５】
0005070021.tif 000006
【図６】
0005070021.tif 000007
【図７】
0005070021.tif 000008